(57)【要約】【課題】この引出し付き式台の構造は，上がり框及び玄関床の下の空間部を有効に利用するため，空間部に設置した外枠から引出しを構成する内枠を出し入れ可能に構成する。【解決手段】この引出し付き式台の構造は，空間部において床下ベースに設置された外枠５と外枠５に出入自在に設けられた引出しを構成する内枠６を備え，外枠５の側部板７にガイドレール１１を設け，内枠６の側部板１４にガイドレール１１に摺動自在なガイドレール１９を設け，側部板１４の上面に踏み板を構成する式台用天板１８を配置する。天板１８は，側部板１４に両端を固定した固定天板２１と固定天板２１にヒンジ２９を介して揺動可能に取り付けられた開閉天板２２から構成されている。【選択図】図２
2008014092.tif 000002
【特許請求の範囲】
【請求項１】
玄関に設置された横木から成る上がり框及び床と床下ベースとの間に形成された空間部において前記床下ベースに設置された外枠，及び前記外枠に出入自在に設けられた引出しを構成する内枠を備え，
前記外枠は両側面を構成して内側に第１ガイドレールをそれぞれ固定した一対の第１側部板を有し，前記内枠は両側面を構成して外側に前記第１ガイドレールに摺動自在な第２ガイドレールをそれぞれ固定した一対の第２側部板と前記第２側部板の上面に配置された踏み板を構成する式台用天板とを有し，
前記天板は，前記第２側部板の前記上面に両端をそれぞれ固定した固定天板，及び固定天板にヒンジを介して揺動可能に取り付けられた開閉天板から構成されていることから成る引出し付き式台の構造。
【請求項２】
前記外枠は，前記第１側部板の後端面に両端をそれぞれ固定した第１後部板，前記第１側部板の前部下面に両端をそれぞれ固定した第１底部板，及び前記第１側部板の後部上面に両端をそれぞれ固定した第１上部板を有することから成る請求項１に記載の引出し付き式台の構造。
【請求項３】
前記内枠は，前記第２側部板の前端面に両端をそれぞれ固定した前面板，前記第２側部板の後端面に両端をそれぞれ固定した第２後部板，及び前記第２側部板の下部全域にわたって固定された第２底部板を有し，前記引出しは，一対の前記第２側部板，前記前面板，前記第２後部板，及び前記第２底部板によって囲まれた収容部で構成されていることから成る請求項１又は２に記載の引出し付き式台の構造。
【請求項４】
前記内枠における前記第２側部板の前後部の下面には，前記ベースと土間との間を走行するキャスターがそれぞれ取り付けられ，前記引出しが前記外枠から自在に出入されることから成る請求項１〜３のいずれか１項に記載の引出し付き式台の構造。  
【請求項５】
前記外枠の前記第１側部板の前後部の下面には，アンカーがそれぞれ取り付けられ，前記アンカーによって前記外枠を前記床下ベースに据え付け固定していることから成る請求項１〜４のいずれか１項に記載の引出し付き式台の構造。
【請求項６】
前記外枠に対する前記内枠の最大延び出し位置で前記内枠を前記外枠に対してロックするため，前記第２側部板に留め具及び前記第１ガイドレールと前記第２ガイドレールとの間に挿入された係止具が設けられていることから成る請求項１〜５のいずれか１項に記載の引出し付き式台の構造。
【請求項７】
前記内枠における前記開閉天板と前記第２側部板との間には，前記開閉天板の開放状態を保持するための屈曲可能な支持金具が設けられていることから成る請求項１〜６のいずれか１項に記載の引出し付き式台の構造。
【請求項８】
前記内枠における前記開閉天板の内面には，前記内枠で構成される前記引出しの内部を照明するため，照明灯が設けられていることから成る請求項１〜７のいずれか１項に記載の引出し付き式台の構造。
【請求項９】
前記内枠における前記開閉天板と前記前面板には，把手凹部が形成されていることから成る請求項１〜８のいずれか１項に記載の引出し付き式台の構造。
【請求項１０】
前記外枠に設けた前記第１ガイドレールと前記内枠に設けた前記第２ガイドレールは両側に鍔部を持つ樋状にそれぞれ形成され，前記第２ガイドレールの鍔部は前記第１ガイドレールの前記鍔部に支持されて摺動自在に嵌合していることから成る請求項１〜９のいずれか１項に記載の引出し付き式台の構造。
【発明の詳細な説明】
【技術分野】
【０００１】
この発明は，例えば，玄関の土間と床との段差領域に渡した横木として設けられた上がり框及び玄関床と玄関ベースとの間の空間部を有効利用するため，玄関ベースと土間との間を出入することができる引出しを備えた引出し付き式台の構造に関する。
【背景技術】
【０００２】
一般に，玄関の上がり口であって履物を置く土間と廊下や玄関ホール等の床との段差領域に渡した横木として機能する上がり框が設けられており，該上がり框の下方，即ち，上がり框と土間との間には，見付け用の前面板が設けられている。
【０００３】
従来，玄関の床下を有効に利用するため床下収納装置が知られている。該床下収納装置は，式台の裏面側前後にわたってレール部材を設け，該レール部材にて少なくとも両側に設けた車輪を懸架させた箱体を式台の下方に設け，箱体を式台の前方へ向けてスライド自在に設け，それによって，床下の土間面状態のその動きが左右されずに玄関の床下空間を有効に利用でき，容易に床下から出し入れすることができるものである（例えば，特許文献１参照）。
【０００４】
また，玄関構造として，式台を備えながら車椅子などのスロープ手段として使用形態を変更できるものが知られている。該玄関構造は，上がり框の前方に，可動状態に式台が設けられ，式台を略水平状態に保持する保持手段と，式台の先端側を略接地状態とし，他方端側を上がり框の側に向けて斜上する傾斜状態に保持する保持式台とを備えたものである（例えば，特許文献２参照）。
【特許文献１】特開平１１−２４７４２７号公報
【特許文献２】特開平９−３２２２８号公報
【発明の開示】
【発明が解決しようとする課題】
【０００５】
しかしながら，玄関における廊下や玄関ホール等の床下を有効に利用するという有効なものが無いのが現状である。例えば，玄関の土間に設置する式台を移動させるため，土間にレールを埋め込んだ場合には，レールと土間との間の隙間に履物に付着した泥，砂等で目詰まり等を起こし，好ましくない状態になっていた。
【０００６】
また，上記の床下収納装置は，玄関の上がり框の前に式台が設置されているため，狭い土間等では，スペースが無くなり履物等のの置き場が無くなり，必ずしも満足できるものではなかった。また，一般的に，玄関については，木材でフローリングした場合には，上がり框及び玄関床と土間との間の段差が高い程，風通しが良くなり，木材が長持ちして好ましい環境になるが，上がり框が余り高すぎると，近年のバリアフリーの精神に反することになる。そこで，従来から上がり框について，木材の性質を考慮した場合に，土間と玄関床との段差を大きく形成して風通しを良くし，木材に良い環境に構成し，しかも１段の段差を低くして上がり下りが容易に安全になるようにするには，如何に構成すれば良いかの課題があった。
【０００７】
この発明の目的は，上記の問題を解決するものであり，玄関の上がり框及び玄関床と床下ベースとの空間部を有効に利用するものであり，その空間部に配設した引出し付き式台を床下ベースと土間との間で出し入れ可能に構成し，式台の不使用時には引出し付き式台を床下ベースに収納し，式台の使用時には引出し付き式台を土間に引き出して玄関土間を広く有効に利用すると共に，式台の下には履物や小物を収納できる引出しに構成して収納スペースを確保することができ，また，玄関床が高く施工されて玄関床と土間との段差が高く形成されていても，天板を引き出してそれを式台として利用すれば，上がり下りを容易にし，バリアフリーに近づけることができる引出し付き式台の構造を提供することである。
【課題を解決するための手段】
【０００８】
この発明は，玄関に設置された横木から成る上がり框及び床と床下ベースとの間に形成された空間部において前記床下ベースに設置された外枠，及び前記外枠に出入自在に設けられた引出しを構成する内枠を備え，前記外枠は，両側面を構成して内側に第１ガイドレールをそれぞれ固定した一対の第１側部板を有し，前記内枠は，両側面を構成して外側に前記第１ガイドレールに摺動自在な第２ガイドレールをそれぞれ固定した一対の第２側部板，及び前記第２側部板の上面に配置された踏み板を構成する式台用天板を有し，前記天板は，前記第２側部板の前記上面に両端をそれぞれ固定した固定天板，及び固定天板にヒンジを介して揺動可能に取り付けられた開閉天板から構成されていることから成る引出し付き式台の構造に関する。
【０００９】
また，前記外枠は，前記第１側部板の後端面に両端をそれぞれ固定した第１後部板，前記第１側部板の前部下面に両端をそれぞれ固定した第１底部板，及び前記第１側部板の後部上面に両端をそれぞれ固定した第１上部板を有するものである。
【００１０】
また，前記内枠は，前記第２側部板の前端面に両端をそれぞれ固定した前面板，前記第２側部板の後端面に両端をそれぞれ固定した第２後部板，及び前記第２側部板の下部全域にわたって固定された第２底部板を有するものである。更に，前記引出しは，一対の前記第２側部板，前記前面板，前記第２後部板，及び前記第２底部板によって囲まれた収容部で構成されるものである。
【００１１】
また，この引出し付き式台の構造は，前記内枠における前記第２側部板の前後部の下面には，前記ベースと土間との間を走行するキャスターがそれぞれ取り付けられ，前記引出しが前記外枠から自在に出入されるものである。
【００１２】
また，この引出し付き式台の構造は，前記外枠の前記第１側部板の前後部の下面には，アンカーがそれぞれ取り付けられ，前記アンカーによって前記外枠を前記床下ベースに据え付け固定しているものである。
【００１３】
また，この引出し付き式台の構造は，前記外枠に対する前記内枠の最大延び出し位置で前記内枠を前記外枠に対してロックするため，前記第２側部板に留め具及び前記第１ガイドレールと前記第２ガイドレールとの間に挿入された係止具が設けられているものである。また，この引出し付き式台の構造は，前記内枠における前記開閉天板と前記第２側部板との間には，前記開閉天板の開放状態を保持するための屈曲可能な支持金具が設けられているものである。
【００１４】
また，この引出し付き式台の構造は，前記内枠における前記開閉天板の内面には，前記内枠で構成される前記引出しの内部を照明するため，照明灯が設けられているものである。
【００１５】
また，この引出し付き式台の構造は，前記内枠における前記開閉天板と前記前面板には，把手凹部が形成されているものである。
【００１６】
また，前記外枠に設けた前記第１ガイドレールと前記内枠に設けた前記第２ガイドレールは両側に鍔部を持つ樋状にそれぞれ形成され，前記第２ガイドレールの鍔部は前記第１ガイドレールの前記鍔部に支持されて摺動自在に嵌合しているものである。
【発明の効果】
【００１７】
この引出し付き式台の構造は，上記のように構成されているので，玄関の上がり框及び玄関床と床下ベースとの間のスペース即ち空間部を有効に利用するため，内枠の側部板を踏み台となる式台を支えることができるのに十分な強度を有する支持体に構成し，例えば，玄関土間と玄関ホールとの間の移動で踏み台即ち式台が必要な場合には，内枠で構成される式台を外枠から引き出すことによって両者間の移動がし易くなり，式台が必要でない場合には，内枠を外枠に収容して式台を上がり框と床との下の空間部に収納し，玄関土間を広く有効に利用することができる。また，内枠の式台の下には，収納部が形成されているので，式台の内枠を外枠から引き出して，開閉天板を揺動させて収納部を開放すれば，靴，下駄等の履物や小物を収納部に出し入れすることができ，極めて有効に機能させることができる。また，この引出し付き式台の構造は，玄関床が高く施工されて玄関床と土間との段差が高く形成されていても，天板を引き出してそれを式台として利用できるので，土間と玄関床との上がり下りする場合には，式台が１段目となり，上がり框が２段目になって１段の段差を低く構成することができ，上がり下りが容易になると共に，上がり下りに対して安全性に配慮した構造に構成することができる。また，式台を構成する天板は，完全に引き出した状態では，留め具と係止具によって天板の前後方向の移動は阻止されるので，式台への上がり下りにおいて安全性に富んだものとなる。従って，天板は，外枠から内枠の途中までの引き出しではなく，完全に引き出した状態で式台として使用することが，天板を静止状態に維持できるので安全性に富んで好ましいものである。
【発明を実施するための最良の形態】
【００１８】
以下，図面を参照して，この発明による引出し付き式台の構造の一実施例について説明する。この引出し付き式台の構造は，概して，玄関に設置された横木から成る上がり框１及び玄関床と床下ベース２との間に存在するスペース即ち空間部３において，床下ベース２に設置された外枠５，及び外枠５に出入自在に設けられ且つ床下ベース２と玄関土間２Ａとの間を自在に移動できる引出しを構成する内枠６から構成されている。この引出し付き式台の構造は，１つのキットに構成されているので，新築の玄関，又はリホームの玄関に熟練を要することなく，容易に迅速に取り付けることができ，しかも，玄関やその土間を有効に機能させることができるものである。
【００１９】
この引出し付き式台の構造では，外枠５は，両側面を構成して内側にガイドレール１１（第１ガイドレール）をそれぞれ固定した一対の側部板７（第１側部板），側部板７の後端面１３に両端をそれぞれ固定した後部板８（第１後部板），側部板７の前部下面に両端をそれぞれ固定した底部板９（第１底部板），及び側部板７の後部上面に両端をそれぞれ固定した上部板１０（第１上部板）から構成されていることが好ましい。また，内枠６は，両側面を構成して外側にガイドレール１１に摺動自在なガイドレール１９（第２ガイドレール）をそれぞれ固定した一対の側部板１４（第２側部板），側部板１４の前端面に両端をそれぞれ固定した前面板１５，側部板１４の後端面に両端をそれぞれ固定した後部板１６（第２後部板），側部板１４の下部全域にわたって固定された底部板１７（第２底部板），及び側部板１４の上面に配置された踏み板を構成する式台用の天板１８から構成されていることが好ましい。また，底部板１７は，引出しの収納部２０を形成するものであり，強度を持たせるため，フレームとして機能する補強材３３が裏打ちされている。
【００２０】
また，この引出し付き式台の構造において，内枠６で構成される引出しは，一対の側部板１４，前面板１５，後部板１６，及び底部板１７によって囲まれた収容部２０で構成されている。また，天板１８は，側部板１４の上面に両端をねじ３４でそれぞれ固定した固定天板２１，及び固定天板２１に一対のヒンジ２９を介して揺動可能に取り付けられた開閉天板２２から構成されている。
【００２１】
また，この引出し付き式台の構造は，内枠６における側部板１４の前後部の下面には，床下ベース２と玄関土間２Ａを走行するキャスター２４がそれぞれ取り付けられており，引出しを構成する内枠６が外枠５から容易に軽く自在に出入できるものである。キャスター２４は，内枠６を摺動自在に出し入れして走行させるものであり，内枠６の天板１８は上り口の踏み段となる式台を構成するものであるので，式台としての荷重を十分に備えているものが使用されている。また，キャスター２４は，直進走行性能を有する４輪車で構成すれば大きな荷重を支えることができ，好ましいものである。後部板１６は，その下面にキャスター２４を取り付けて式台を支える支持体を構成するものであるので，式台の荷重に耐えることができる高強度を有する部材で構成されていることは勿論である。
【００２２】
また，この引出し付き式台の構造は，外枠５の側部板７の前後部の下面には，アンカー２５がそれぞれ取り付けられており，外枠５はアンカー２５によって床下ベース２に据え付け固定される。
【００２３】
また，この引出し付き式台の構造は，外枠５に対する内枠６の最大延び出し位置で，内枠６を外枠５に対してロックするため，側部板１４にはばね力で突出する留め具２６が設けられ，また，ガイドレール１１とガイドレール１９との間には内枠６の外枠５からの抜け出しを防止するためばね力を持つ合成樹脂等から成る係止具（図示せず）が設けられている。従って，内枠６を外枠５から引き出せば，留め具２６がばね力によって突出し，外枠５の側部板７の後端面１３に係止し，天板１８がその位置で静止状態になり，更なる内枠６の外枠５からの抜け出しは係止具がストッパとなって抜け出さず，また，天板１８の引っ込みは留め具２６がストッパとなって引っ込むことがなく，天板１８は，静止状態になり，人が天板１８への上がり下りにおいて前後に移動することがなく，安全性が確保されている。しかも，内枠６は，十分な荷重に耐えるキャスター２４で支持されているので，式台を踏み台として使用しても安定して堅固であり，安全性に富んだものである。また，内枠６を外枠５内に押し込む時には，留め具２６のばね力に抗して押し込むことによって内枠６を外枠５内に容易に押し込むことができ，収納が極めて容易である。更に，内枠６を外枠５から抜き出す時には，係止具をばね力に抗して押し込んむことによって係止状態が解除され，内枠６を外枠５から容易に抜き出すことができる。また，内枠６における天板１８を引き出した状態で，天板１８の前後方向の移動を防止する手段は，上記の留め具２６と上記係止具とによって達成させることに限定されるものでなく，例えば，内枠６の側部板１４に孔（図示せず）を設け，外枠５の側部板７に上記孔に対応する位置に孔（図示せず）を形成し，内枠６の内側からストッパピン（図示せず）を両孔に差し込むことによって達成できる構造に構成できる。天板１８を引き出した状態で，天板１８の前後方向の移動を防止することによって，天板１８を式台即ち踏み台として使用する場合に，天板１８がぐらつきが防止され，怪我等の事故を防止でき，信頼性に富んだ安全性を確保できることになる。
【００２４】
また，この引出し付き式台の構造は，内枠６における開閉天板２２と側部板１４との間には，開閉天板２２の開放状態を保持するための屈曲可能な支持金具２７が設けられている。従って，開閉天板２２を開放した場合には，開閉天板２２はその位置で支持金具２７によって安定して支持されているので，開閉天板２２が落下することが無く，収納部２０における下駄，靴等の履物，小物等の出し入れを安全に行うことができる。また，開閉天板２２を下ろす場合には，支持金具２７を手で屈曲させれば，開閉天板２２は容易に収納部２０を閉鎖できるようになる。
【００２５】
また，この引出し付き式台の構造は，内枠６における開閉天板２２の内面には，内枠６で構成される引出しの内部の収容部２０を照明するため，照明灯３０が設けられている。従って，必要に応じて照明灯３０から延びるコード３１の端部に設けたコンセント３２を電源プラグに差込み，照明灯３０に設けたスイッチ３８を入れれば，内枠６の収容部２０が明るく照らされ，収容部２０内の下駄，靴等の履物，小物等の確認，それらの出し入れが容易にできる。照明灯３０は，蛍光灯，電灯，発光ダイオード等の種々のものが使用できることは勿論である。
【００２６】
また，この引出し付き式台の構造は，内枠６における開閉天板２２と前面板１５には，把手凹部２８がそれぞれ形成されている。従って，把手凹部２８に手を引っかけて外枠５からの内枠６の出し入れ動作がスムーズに容易になり，また，開閉天板２２の開閉動作がスムーズに容易になる。
【００２７】
また，この引出し付き式台の構造において，外枠５に設けたガイドレール１１と内枠６に設けたガイドレール１９とは，両側に延びる鍔部３６，３７が突出した樋状即ち断面Ｕ字状にそれぞれ形成されている。図６では，ガイドレール１９は，ガイドレール１１より幅広に形成され，しかもガイドレール１１の両鍔部３６がガイドレール１９の鍔部３７間内に摺動状態に嵌入するように構成されている。更に，ガイドレール１１は外枠５の内面１２に沿って鍔部３６が内面１２から突出して固定され，また，ガイドレール１９は内枠６の外面２３に形成された凹溝３５に入り込んで取り付けられている。ガイドレール１１，１９を上記のように構成すれば，内枠６を引き出した際に，ガイドレール１９が外部に突出していない状態になって安全上好ましい。また，ガイドレール１１とガイドレール１９との間には，内枠６が外枠５から最大引き出し位置で内枠６を停止させる係止具のストッパが設けられ，内枠６の外枠５からの飛び出しを防止して安全性が考慮されている。
【００２８】
また，キャスター２４は，内枠６を走行可能に支持して内枠６の大半の荷重を支持しており，キャスター２４の取付け高さは，ガイドレール１９の鍔部３７がガイドレール１１の鍔部３６にほとんど荷重が掛からない状態に設定され，ガイドレール１１は主としてガイドレール１９を平行状態に摺動自在に案内する機能を有するように構成されている。しかしながら，部分的には，外枠５のガイドレール１１は，内枠６の荷重をキャスター２４に加えて全体が摺動自在に支持しており，内枠６の荷重を分担するように構成されている。それ故に，内枠６は，キャスター２４に加えて，ガイドレール１１，１９を介して外枠５への出し入れが案内されて軽くなって容易であると共に，外枠５に内枠６が安定して支持され，堅牢に構成されている。しかしながら，外枠５と内枠６へのガイドレール１１，１９の取付け構造は，上記の構成に限定されるものではなく，ガイドレール１１がガイドレール１９に入り込むように逆に取り付けられてもよく，また，ガイドレール１１とガイドレール１９とは同じ幅の断面Ｕ字状に形成して部品点数を低減することもできる。
【産業上の利用可能性】
【００２９】
この発明による引出し付き式台の構造は，例えば，玄関の上がり框と玄関床との空間部に収納できる式台及び収納引出しとして使用して好ましいものである。
【図面の簡単な説明】
【００３０】
【図１】この発明による引出し付き式台の構造の一実施例を示す正面図である。
【図２】図１の引出し付き式台の構造を示す平面図である。
【図３】図１の引出し付き式台の構造を示す背面図である。
【図４】図１の引出し付き式台の構造を示す側面図である。
【図５】図１の引出し付き式台の構造を示す底面図である。
【図６】図５のＡ−Ａ断面を示す断面図である。
【図７】図２の引出し付き式台の構造の引出しを引き出した状態を示す平面図である。
【図８】図５の引出し付き式台の構造の引出しを引き出した状態を示す底面図である。
【図９】図４の引出し付き式台の構造の引出しを引き出した状態を示す側面図である。
【図１０】図１の引出し付き式台の構造の引出しを収納した状態を正面側から見た斜視図である。
【図１１】図１の引出し付き式台の構造の引出しを引き出した状態を正面側から見た斜視図である。
【図１２】図１の引出し付き式台の構造の引出しを引き出した状態を側面側から見た斜視図である。
【図１３】図１の引出し付き式台の構造の引出しを引き出して天板を開放した状態を正面側から見た斜視図である。
【図１４】図１の引出し付き式台の構造の引出しを引き出した状態を底面側から見た斜視図である。
【符号の説明】
【００３１】
１    上がり框
２    床したベース
２Ａ  土間
３    空間部
４    前面板
５    外枠
６    内枠
７    側部板（第１側部板）
８    後部板（第１後部板）
９    底部板（第１底部板）
１０  上部板（第１上部板）
１１  ガイドレール（第１ガイドレール）
１２  内面（第１側部板）
１３  後端面（第１側部板）
１４  側部板（第２側部板）
１５  前面板
１６  後部板（第２後部板）
１７  底部板（第２底部板）
１８  天板
１９  ガイドレール（第２ガイドレール）
２０  収容部
２１  固定天板
２２  開閉天板
２３  外面
２４  キャスター
２５  アンカー
２６  留め具
２７  支持金具
２８  把手凹部
２９  ヒンジ
３０  照明灯
３５  凹溝
３６，３７  鍔部
【図１】
2008014092.tif 000003
【図２】
2008014092.tif 000004
【図３】
2008014092.tif 000005
【図４】
2008014092.tif 000006
【図５】
2008014092.tif 000007
【図６】
2008014092.tif 000008
【図７】
2008014092.tif 000009
【図８】
2008014092.tif 000010
【図９】
2008014092.tif 000011
【図１０】
2008014092.tif 000012
【図１１】
2008014092.tif 000013
【図１２】
2008014092.tif 000014
【図１３】
2008014092.tif 000015
【図１４】
2008014092.tif 000016